(57)【要約】【課題】    本発明の目的は、簡易且つ迅速に製造することができる打ち上げ花火を提供するものである。【解決手段】    打ち上げ花火１は、内部に火薬を詰め、半球１１、１２を二つ合わせた玉皮を有する打ち上げ花火１であって、半球１１、１２の一方１１の接合端面に第１の凹部１１Ｘと第１の凸部１１Ｙを形成し、半球１１、１２の他方１２の接合端面に第２の凹部１２Ｘと第２の凸部１２Ｙを形成し、第１の凸部１１Ｙが第２の凹部１２Ｘに、第２の凸部１２Ｙが第１の凹部１１Ｘに、それぞれ当接すると共に、この当接する部位が接着剤で接着されているものである。【選択図】図４
2020134061.tif 000002
【特許請求の範囲】
【請求項１】
内部に火薬を詰め、半球を二つ合わせた玉皮を有する打ち上げ花火であって、
前記半球の一方の接合端面に第１の凹部と第１の凸部を形成し、  
前記半球の他方の接合端面に第２の凹部と第２の凸部を形成し、
前記第１の凸部が前記第２の凹部に、前記第２の凸部が前記第１の凹部に、それぞれ当接すると共に、この当接する部位が接着剤で接着されている
ことを特徴とする打ち上げ花火。
【請求項２】
内部に火薬を詰め、半球を二つ合わせた玉皮を有する打ち上げ花火であって、
前記半球の一方の接合端面に第１の凹部と第１の凸部を形成し、  
前記半球の他方の接合端面に第２の凹部と第２の凸部を形成し、
前記第１の凸部が前記第２の凹部に、前記第２の凸部が前記第１の凹部に、それぞれ当接すると共に、この当接する部位が接着剤で接着され、
前記玉皮の外表面に接着される補強紙の玉貼りを不要とした
ことを特徴とする打ち上げ花火。
【請求項３】
半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられている
ことを特徴とする請求項１又は請求項２記載の打ち上げ花火。
【請求項４】
半球の一方と半球の他方とが同一形状である
ことを特徴とする請求項１又は請求項２又は請求項３記載の打ち上げ花火。
【請求項５】
内部に火薬を詰め、半球を二つ合わせて玉皮を形成する打ち上げ花火の製造方法であって、
前記半球の一方の接合端面には、第１の凹部と第１の凸部が形成され、  
前記半球の他方の接合端面には、第２の凹部と第２の凸部が形成され、
前記第１の凸部が前記第２の凹部に、前記第２の凸部が前記第１の凹部に、それぞれ当接すると共に、この当接する部位を接着剤で接着している
ことを特徴とする打ち上げ花火の製造方法。
【請求項６】
内部に火薬を詰め、半球を二つ合わせて玉皮を形成する打ち上げ花火の製造方法であって、
前記半球の一方の接合端面には、第１の凹部と第１の凸部が形成され、  
前記半球の他方の接合端面には、第２の凹部と第２の凸部が形成され、
前記第１の凸部が前記第２の凹部に、前記第２の凸部が前記第１の凹部に、それぞれ当接すると共に、この当接する部位を接着剤で接着し、
前記玉皮の外表面接着される補強紙の玉貼りを不要として打ち上げ花火を製造する
ことを特徴とする打ち上げ花火の製造方法。
【請求項７】
半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられている
ことを特徴とする請求項５又は請求項６記載の打ち上げ花火の製造方法。
【請求項８】
半球の一方と半球の他方とが同一形状である
ことを特徴とする請求項５又は請求項６又は請求項７記載の打ち上げ花火の製造方法。
【発明の詳細な説明】
【技術分野】
【０００１】
本発明は、打ち上げ花火及び打ち上げ花火の製造方法に係り、特に、簡易且つ迅速に製造することができる打ち上げ花火及び打ち上げ花火の製造方法に関する。
【背景技術】
【０００２】
従来、内部に火薬を詰め、半球を二つ合わせた玉皮を有する打ち上げ花火がある（例えば、特許文献参照）。
【先行技術文献】
【特許文献】
【０００３】
【特許文献１】特開２００２−３５００９８号公報
【発明の概要】
【発明が解決しようとする課題】
【０００４】
ところが、上記打ち上げ花火にあっては、半球を二つ合わせた玉皮の外側にクラフト紙等の補強紙を貼る玉貼りと称される作業が必要で、時間とコストがかかるという問題点があった。
【０００５】
本発明は、上記問題点を除去するようにした打ち上げ花火及び打ち上げ花火の製造方法を提供することを目的とする。
【課題を解決するための手段】
【０００６】
請求項１記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記第１の凸部が前記第２の凹部に、前記第２の凸部が前記第１の凹部に、それぞれ当接すると共に、この当接する部位が接着剤で接着されているものである。
【０００７】
また、請求項２記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記第１の凸部が前記第２の凹部に、前記第２の凸部が前記第１の凹部に、それぞれ当接すると共に、この当接する部位が接着剤で接着され、前記玉皮の外表面に接着される補強紙の玉貼りを不要としたものである。
【０００８】
また、請求項３記載の打ち上げ花火は、請求項１又は請求項２記載の打ち上げ花火において、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているものである。
【０００９】
また、請求項４記載の打ち上げ花火は、請求項１又は請求項２又は請求項３記載の打ち上げ花火において、半球の一方と半球の他方とが同一形状である。
【００１０】
また、請求項５記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記第１の凸部が前記第２の凹部に、前記第２の凸部が前記第１の凹部に、それぞれ当接すると共に、この当接する部位を接着剤で接着しているものである。
【００１１】
また、請求項６記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記第１の凸部が前記第２の凹部に、前記第２の凸部が前記第１の凹部に、それぞれ当接すると共に、この当接する部位を接着剤で接着し、前記玉皮の外表面接着される補強紙の玉貼りを不要として打ち上げ花火を製造するものである。
【００１２】
また、請求項７記載の打ち上げ花火の製造方法は、請求項５又は請求項６記載の打ち上げ花火の製造方法において、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているものである。
【００１３】
また、請求項８記載の打ち上げ花火の製造方法は、請求項５又は請求項６又は請求項７記載の打ち上げ花火の製造方法において、半球の一方と半球の他方とが同一形状である。
【発明の効果】
【００１４】
請求項１記載の打ち上げ花火によれば、第１の凸部が第２の凹部に、第２の凸部が第１の凹部に、それぞれ当接すると共に、この当接する部位が接着剤で接着されているため、特に、接合面に平行な面に作用する力に対して、第１、第２の凸部が有効に作用し、玉皮の外表面に接着される補強紙の玉貼りを少なくして、打ち上げ花火を簡易且つ迅速に製造することができる。
【００１５】
また、請求項２記載の打ち上げ花火によれば、第１の凸部が第２の凹部に、第２の凸部が第１の凹部に、それぞれ当接すると共に、この当接する部位が接着剤で接着されているため、特に、接合面に平行な面に作用する力に対して、第１、第２の凸部が有効に作用し、しかも、玉皮の外表面に接着される補強紙の玉貼りを不要としたため、打ち上げ花火を簡易且つ迅速に製造することができる。
【００１６】
また、請求項３記載の打ち上げ花火によれば、上述した請求項１又は請求項２記載の発明の効果に加え、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているため、つまり、第１の平坦な端面が第２の平坦な端面に、第１の凸部が第２の凹部に、第２の凸部が第１の凹部に、それぞれ当接すると共に、この当接する部位が接着剤で接着されているため、半球の一方と半球の他方とが強固に接合し、玉皮の外表面接着される補強紙を不要としたため、打ち上げ花火を簡易且つ迅速に製造することができる。
【００１７】
また、請求項４記載の打ち上げ花火によれば、上述した請求項１又は請求項２又は請求項３記載の発明の効果に加え、半球の一方と半球の他方とが同一形状で、単一であるため、製造を容易にすると共に、接合の容易化かをも図ることができる。
【００１８】
また、請求項５記載の打ち上げ花火の製造方法によれば、第１の凸部が第２の凹部に、第２の凸部が第１の凹部に、それぞれ当接すると共に、この当接する部位を接着剤で接着するため、特に、接合面に平行な面に作用する力に対して、第１、第２の凸部が有効に作用し、玉皮の外表面に接着される補強紙の玉貼りを少なくして、打ち上げ花火を簡易且つ迅速に製造することができる。
【００１９】
また、請求項６記載の打ち上げ花火の製造方法によれば、第１の凸部が第２の凹部に、第２の凸部が第１の凹部に、それぞれ当接すると共に、この当接する部位を接着剤で接着するため、特に、接合面に平行な面に作用する力に対して、第１、第２の凸部が有効に作用し、しかも、玉皮の外表面接着される補強紙の玉貼りを不要としたため、打ち上げ花火を簡易且つ迅速に製造することができる。
【００２０】
また、請求項７記載の打ち上げ花火の製造方法によれば、上述した請求項５又は請求項６記載の発明の効果に加え、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているため、つまり、第１の平坦な端面が第２の平坦な端面に、第１の凸部が第２の凹部に、第２の凸部が第１の凹部に、それぞれ当接すると共に、この当接する部位が接着剤で接着されているため、半球の一方と半球の他方とが強固に接合し、玉皮の外表面接着される補強紙を不要としたため、打ち上げ花火を簡易且つ迅速に製造することができる。
【００２１】
また、請求項８記載の打ち上げ花火の製造方法によれば、上述した請求項５又は請求項６又は請求項７記載の発明の効果に加え、半球の一方と半球の他方とが同一形状で、単一であるため、製造を容易にすると共に、接合の容易化かをも図ることができる。
【図面の簡単な説明】
【００２２】
【図１】図１は、本願発明の一実施例の打ち上げ花火の正面図である。
【図２】図２は、図１のＡ−Ａ線による概略的断面図である。
【図３】図３は、図１の打ち上げ花火の玉皮の構成を説明するための概略的斜視図である。
【図４】図４は、図１の打ち上げ花火を構成する半球の正面図である。
【図５】図５は、図４の背面図である。
【図６】図６は、図４の右側面図である。
【図７】図７は、図４の左側面図である。
【図８】図８は、図４の平面図である。
【図９】図９は、図４の底面図である。
【図１０】図１０は、図４の斜視図である。
【発明を実施するための形態】
【００２３】
本発明の一実施例の打ち上げ花火及び打ち上げ花火の製造方法を図面（図１乃至図１０）を参照して説明する。
図１に示す１は打ち上げ花火で、打ち上げ花火１は、内部に火薬（図示せず）を詰め、半球１１、１２を二つ合わせた玉皮（打ち上げ花火１の外殻）を有するもので、半球１１、１２は、例えば、紙製で形成されている。
【００２４】
半球１１、１２の一方１１の接合端面１１Ａに第１の凹部１１Ｘと第１の凸部１１Ｙを形成し、半球１１、１２の他方１２の接合端面１２Ａに第２の凹部１２Ｘと第２の凸部１２Ｙを形成している。
そして、第１の凸部１１Ｙが第２の凹部１２Ｘに、第２の凸部１２Ｙが第１の凹部１１Ｘに、それぞれ当接すると共に、この当接する部位が接着剤で接着され、玉皮１の外表面に接着される補強紙の玉貼りを従来より少なくすることができ、望ましくは、第１の凸部１１Ｙが第２の凹部１２Ｘに、第２の凸部１２Ｙが第１の凹部１１Ｘに、それぞれ当接すると共に、この当接する部位が接着剤で強力に接着（接着剤の接着強度を強く、当接する部位の面積を大）して、玉皮の外表面に接着される補強紙の玉貼りを不要とすることができる。
【００２５】
従って、上述した打ち上げ花火（打ち上げ花火の製造方法）によれば、第１の凸部１１Ｙが第２の凹部１２Ｘに、第２の凸部１２Ｙが第１の凹部１１Ｘに、それぞれ当接すると共に、この当接する部位が接着剤で接着されているため、特に、接合面に平行な面に作用する力に対して、第１、第２の凸部１１Ｙ、１２Ｙが有効に作用し、しかも、玉皮の外表面に接着される補強紙の玉貼りを不要として打ち上げ花火を製造するため、打ち上げ花火を簡易且つ迅速に製造することができる。
【００２６】
なお、半球１１、１２の一方１１の接合端面１１Ａは、外側に位置し、全周に亘って設けられた第１の平坦な端面１１Ｚと、この第１の平坦な端面１１Ｚの内側に設けられ、第１の平坦な端面１１Ｚの円周に沿って設けられた孤状の第１の凸部１１Ｙと、第１の平坦な端面１１Ｚの内側に設けられ、第１の平坦な端面１１Ｚの円周に沿って設けられた孤状の第１の凹部１１Ｘとを有し、孤状の第１の凸部１１Ｙと孤状の第１の凹部１１Ｘは、同一円周に設けられている。
【００２７】
また、半球１１、１２の他方１２の接合端面１２Ａは、外側に位置し、全周に亘って設けられた第２の平坦な端面１２Ｚと、この第２の平坦な端面１２Ｚの内側に設けられ、第２の平坦な端面１２Ｚの円周に沿って設けられた孤状の第２の凸部１２Ｙと、第２の平坦な端面の１２Ｚ内側に設けられ、第２の平坦な端面１２Ｚの円周に沿って設けられた孤状の第２の凹部１２Ｘとを有し、孤状の第２の凸部１２Ｙと孤状の第２の凹部１２Ｘは、同一円周に設けられている。
【００２８】
そして、第１の平坦な端面１１Ａが第２の平坦な端面１２Ａに、第１の凸部１１Ｙが第２の凹部１２Ｘに、第２の凸部１２Ｙが第１の凹部１１Ｘに、それぞれ当接すると共に、この当接する部位が接着剤で接着されているため、半球１１、１２の一方１１と半球１１、１２の他方１２とが強固に接合し、玉皮の外表面接着される補強紙を不要としたため、打ち上げ花火１を簡易且つ迅速に製造することができる。
なお、望ましくは、半球１１、１２の一方１１と半球１１、１２の他方１２とが同一形状であるのが良い。
半球１１、１２の一方１１と半球１１、１２の他方１２とが同一形状であると、半球が単一であるため、製造を容易にすると共に、接合の容易化をも図ることができる。
【符号の説明】
【００２９】
１        打ち上げ花火
１１      半球（一方）
１２      半球（他方）
１１Ｘ    第１の凹部
１１Ｙ    第１の凸部
１２Ｘ    第２の凹部
１２Ｙ    第２の凸部
【図１】
2020134061.tif 000003
【図２】
2020134061.tif 000004
【図３】
2020134061.tif 000005
【図４】
2020134061.tif 000006
【図５】
2020134061.tif 000007
【図６】
2020134061.tif 000008
【図７】
2020134061.tif 000009
【図８】
2020134061.tif 000010
【図９】
2020134061.tif 000011
【図１０】
2020134061.tif 000012
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
内部に火薬を詰め、半球を二つ合わせた玉皮を有する打ち上げ花火であって、
前記半球の一方の接合端面に第１の凹部と第１の凸部を形成し、  
前記半球の他方の接合端面に第２の凹部と第２の凸部を形成し、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されている
ことを特徴とする打ち上げ花火。
【請求項２】
内部に火薬を詰め、半球を二つ合わせた玉皮を有する打ち上げ花火であって、
前記半球の一方の接合端面に第１の凹部と第１の凸部を形成し、  
前記半球の他方の接合端面に第２の凹部と第２の凸部を形成し、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、
前記玉皮の外表面に接着される補強紙の玉貼りを不要とした
ことを特徴とする打ち上げ花火。
【請求項３】
内部に火薬を詰め、半球を二つ合わせた玉皮を有する打ち上げ花火であって、
前記半球の一方の接合端面に第１の凹部と第１の凸部を形成し、 
前記半球の他方の接合端面に第２の凹部と第２の凸部を形成し、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものであり、
前記半球の一方と前記半球の他方とが同一形状である
ことを特徴とする打ち上げ花火。
【請求項４】
内部に火薬を詰め、半球を二つ合わせた玉皮を有する打ち上げ花火であって、
前記半球の一方の接合端面に第１の凹部と第１の凸部を形成し、  
前記半球の他方の接合端面に第２の凹部と第２の凸部を形成し、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、
前記玉皮の外表面に接着される補強紙の玉貼りを不要としたものであり、
前記半球の一方と前記半球の他方とが同一形状である
ことを特徴とする打ち上げ花火
【請求項５】
内部に火薬を詰め、半球を二つ合わせて玉皮を形成する打ち上げ花火の製造方法であ
って、
前記半球の一方の接合端面には、第１の凹部と第１の凸部が形成され、  
前記半球の他方の接合端面には、第２の凹部と第２の凸部が形成され、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されている
ことを特徴とする打ち上げ花火の製造方法。
【請求項６】
内部に火薬を詰め、半球を二つ合わせて玉皮を形成する打ち上げ花火の製造方法であ
って、
前記半球の一方の接合端面には、第１の凹部と第１の凸部が形成され、  
前記半球の他方の接合端面には、第２の凹部と第２の凸部が形成され、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、
前記玉皮の外表面に接着される補強紙の玉貼りを不要として打ち上げ花火を製造する
ことを特徴とする打ち上げ花火の製造方法。
【請求項７】
内部に火薬を詰め、半球を二つ合わせて玉皮を形成する打ち上げ花火の製造方法であ
って、
前記半球の一方の接合端面には、第１の凹部と第１の凸部が形成され、 
前記半球の他方の接合端面には、第２の凹部と第２の凸部が形成され、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものであり、
前記半球の一方と前記半球の他方とが同一形状である
ことを特徴とする打ち上げ花火の製造方法。
【請求項８】
内部に火薬を詰め、半球を二つ合わせて玉皮を形成する打ち上げ花火の製造方法であ
って、
前記半球の一方の接合端面には、第１の凹部と第１の凸部が形成され、 
前記半球の他方の接合端面には、第２の凹部と第２の凸部が形成され、
前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、
前記孤状の第１の凸部と前記孤状の第１の凹部は、同一円周に設けられ、
前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、
前記孤状の第２の凸部と前記孤状の第２の凹部は、同一円周に設けられ、
前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、
前記玉皮の外表面に接着される補強紙の玉貼りを不要として打ち上げ花火を製造するものであり、
前記半球の一方と前記半球の他方とが同一形状である
ことを特徴とする打ち上げ花火の製造方法。
【手続補正２】
【補正対象書類名】明細書
【補正対象項目名】０００６
【補正方法】変更
【補正の内容】
【０００６】
請求項１記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものである。
【手続補正３】
【補正対象書類名】明細書
【補正対象項目名】０００７
【補正方法】変更
【補正の内容】
【０００７】
また、請求項２記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、前記玉皮の外表面に接着される補強紙の玉貼りを不要としたものである。
【手続補正４】
【補正対象書類名】明細書
【補正対象項目名】０００８
【補正方法】変更
【補正の内容】
【０００８】
また、請求項３記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものであり、前記半球の一方と前記半球の他方とが同一形状である。
【手続補正５】
【補正対象書類名】明細書
【補正対象項目名】０００９
【補正方法】変更
【補正の内容】
【０００９】
また、請求項４記載の打ち上げ花火は、内部に火薬を詰め、半球を二つ合わせた玉皮を有する打ち上げ花火であって、前記半球の一方の接合端面に第１の凹部と第１の凸部を形成し、前記半球の他方の接合端面に第２の凹部と第２の凸部を形成し、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、前記玉皮の外表面に接着される補強紙の玉貼りを不要としたものであり、前記半球の一方と前記半球の他方とが同一形状である。
【手続補正６】
【補正対象書類名】明細書
【補正対象項目名】００１０
【補正方法】変更
【補正の内容】
【００１０】
また、請求項５記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものである。
【手続補正７】
【補正対象書類名】明細書
【補正対象項目名】００１１
【補正方法】変更
【補正の内容】
【００１１】
また、請求項６記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、前記玉皮の外表面に接着される補強紙の玉貼りを不要として打ち上げ花火を製造するものである。
【手続補正８】
【補正対象書類名】明細書
【補正対象項目名】００１２
【補正方法】変更
【補正の内容】
【００１２】
また、請求項７記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着されているものであり、前記半球の一方と前記半球の他方とが同一形状である。
【手続補正９】
【補正対象書類名】明細書
【補正対象項目名】００１３
【補正方法】変更
【補正の内容】
【００１３】
また、請求項８記載の打ち上げ花火の製造方法は、内部に火薬を詰め、半球を二つ合わせて玉皮を形成する打ち上げ花火の製造方法であって、前記半球の一方の接合端面には、第１の凹部と第１の凸部が形成され、前記半球の他方の接合端面には、第２の凹部と第２の凸部が形成され、前記半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、前記半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられ、前記第１の平坦な端面が前記第２の平坦な端面に、前記第１の凸部が前記第２の凹部に、前記第２の凸部が前記第１の凹部に、それぞれ当接すると共に、この当接する部位が接着剤で接着され、前記玉皮の外表面に接着される補強紙の玉貼りを不要として打ち上げ花火を製造するものであり、前記半球の一方と前記半球の他方とが同一形状である。
【手続補正１０】
【補正対象書類名】明細書
【補正対象項目名】００１６
【補正方法】変更
【補正の内容】
【００１６】
また、請求項２記載の打ち上げ花火によれば、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているため、つまり、第１の平坦な端面が第２の平坦な端面に、第１の凸部が第２の凹部に、第２の凸部が第１の凹部に、それぞれ当接すると共に、この当接する部位が接着剤で接着されているため、半球の一方と半球の他方とが強固に接合し、玉皮の外表面接着される補強紙を不要としたため、打ち上げ花火を簡易且つ迅速に製造することができる。
【手続補正１１】
【補正対象書類名】明細書
【補正対象項目名】００１７
【補正方法】変更
【補正の内容】
【００１７】
また、請求項３、４記載の打ち上げ花火によれば、半球の一方と半球の他方とが同一形状で、単一であるため、製造を容易にすると共に、接合の容易化かをも図ることができる。
【手続補正１２】
【補正対象書類名】明細書
【補正対象項目名】００２０
【補正方法】変更
【補正の内容】
【００２０】
また、請求項６記載の打ち上げ花火の製造方法によれば、半球の一方の接合端面は、外側に位置し、全周に亘って設けられた第１の平坦な端面と、この第１の平坦な端面の内側に設けられ、前記第１の平坦な端面の円周に沿って設けられた孤状の第１の凸部と、前記第１の平坦な端面の内側に設けられ、前記第１の平坦な端面の円周に沿って設けられた孤状の第１の凹部とを有し、前記孤状の第１の凸部と前記孤状の第１の凹部は、同一円周に設けられ、半球の他方の接合端面は、外側に位置し、全周に亘って設けられた第２の平坦な端面と、この第２の平坦な端面の内側に設けられ、前記第２の平坦な端面の円周に沿って設けられた孤状の第２の凸部と、前記第２の平坦な端面の内側に設けられ、前記第２の平坦な端面の円周に沿って設けられた孤状の第２の凹部とを有し、前記孤状の第２の凸部と前記孤状の第２の凹部は、同一円周に設けられているため、つまり、第１の平坦な端面が第２の平坦な端面に、第１の凸部が第２の凹部に、第２の凸部が第１の凹部に、それぞれ当接すると共に、この当接する部位が接着剤で接着されているため、半球の一方と半球の他方とが強固に接合し、玉皮の外表面接着される補強紙を不要としたため、打ち上げ花火を簡易且つ迅速に製造することができる。
【手続補正１３】
【補正対象書類名】明細書
【補正対象項目名】００２１
【補正方法】変更
【補正の内容】
【００２１】
また、請求項７、８記載の打ち上げ花火の製造方法によれば、半球の一方と半球の他方とが同一形状で、単一であるため、製造を容易にすると共に、接合の容易化かをも図ることができる。